(57)【要約】【課題】絶縁カバーの位置ずれを回避しつつタブ群と電極組立体との干渉を抑制できる蓄電装置の製造装置、及び蓄電装置の製造方法を提供する。【解決手段】二次電池の製造装置６０は、電極組立体１２を保持する保持構造６４と、蓋１４、導電部材１７、及びタブ群１５が重力方向に重ねられて載置される第２載置部６２と、タブ群１５の余剰部１５ｅを押し上げて撓ませるピン６３と、撓んだ状態の余剰部１５ｅを電極組立体１２に向けて押し、余剰部１５ｅを延出部１５ｂに沿う状態に屈曲させる押圧部６９と、第２載置部６２及び押圧部６９を回動させ、蓋１４及び導電部材１７の姿勢を変更させる第１姿勢変更機構７１と、保持構造６４、第２載置部６２、及び押圧部６９を回動させ、電極組立体１２、蓋１４、及び導電部材１７の姿勢を変更させる第２姿勢変更機構７２とを備える。【選択図】図５
2020042909.tif 000002
【特許請求の範囲】
【請求項１】
複数の電極が積層された電極組立体と、
前記電極の一辺の一部から突出した形状のタブが積層されたタブ群と、
前記電極組立体及び前記タブ群を収容するケース本体、及び前記ケース本体の開口部を閉塞する蓋を有するケースと、
前記タブ群と接合されるとともに前記蓋と一体化された端子構造と、
前記タブ群を覆う絶縁カバーと、
を備え、
前記タブ群は、前記電極の積層方向の一端側において屈曲された第１屈曲部と、前記第１屈曲部から前記端子構造に沿う状態に延びる延出部と、前記延出部と繋がり、前記積層方向の他端側において屈曲された第２屈曲部と、前記第２屈曲部から前記積層方向の一端側に向けて延びる折り返し部とを有する蓄電装置の製造装置であって、
前記積層方向が重力方向に延びる状態に前記電極組立体を保持する保持構造と、
前記蓋と、前記蓋と一体化された前記端子構造と、前記電極組立体から曲げられていない状態で延出するとともに、先端部が前記端子構造の縁部から突出した状態で前記端子構造に接合されることで前記端子構造に沿って前記延出部が形成された前記タブ群とが、前記重力方向に重ねられて載置される載置部と、
前記タブ群における前記端子構造の縁部から突出した部分を余剰部としたとき、前記余剰部の下側に配置され、前記余剰部を押し上げて撓ませる押上部と、
撓んだ状態の前記余剰部を前記電極組立体に向けて押し、前記余剰部を前記延出部に沿う状態に屈曲させる押圧部と、
前記端子構造と前記押圧部との間に前記余剰部が位置する状態で、前記載置部及び前記押圧部を回動させることにより、前記積層方向の一端側において前記タブ群を曲げ、前記蓋の内面と前記タブ群が存在する前記電極組立体のタブ側端面とが対向するように前記蓋及び前記端子構造の姿勢を変更させる第１姿勢変更機構と、
前記端子構造と前記押圧部との間に前記余剰部が位置し、かつ前記蓋の内面と前記タブ側端面とが対向する状態で、前記保持構造、前記載置部、及び前記押圧部を回動させることにより、前記蓋が前記重力方向の上側に位置し、前記電極組立体が前記重力方向の下側に位置するように、前記電極組立体、前記蓋、及び前記端子構造の姿勢を変更させる第２姿勢変更機構と、
を備えることを特徴とする蓄電装置の製造装置。
【請求項２】
前記載置部に、前記蓋を保持する蓋保持部を備える請求項１に記載の蓄電装置の製造装置。
【請求項３】
前記端子構造は、引出端子と、前記引出端子と接合される導電部材とを備え、前記タブ群は、前記導電部材に接合されている請求項１又は請求項２に記載の蓄電装置の製造装置。
【請求項４】
複数の電極が積層された電極組立体と、
前記電極の一辺の一部から突出した形状のタブが積層されたタブ群と、
前記電極組立体及び前記タブ群を収容するケース本体、及び前記ケース本体の開口部を閉塞する蓋を有するケースと、
前記タブ群と接合されるとともに前記蓋と一体化された端子構造と、
前記タブ群を覆う絶縁カバーと、
を備え、
前記タブ群は、前記電極の積層方向の一端側において屈曲された第１屈曲部と、前記第１屈曲部から前記端子構造に沿う状態に延びる延出部と、前記延出部と繋がり、前記積層方向の他端側において屈曲された第２屈曲部と、前記第２屈曲部から前記積層方向の一端側に向けて延びる折り返し部とを有する蓄電装置の製造方法であって、
前記電極組立体は、前記積層方向が重力方向に延びる状態で保持され、
前記蓋と、前記蓋と一体化された前記端子構造と、前記電極組立体から曲げられていない状態で延出するとともに、先端部が前記端子構造の縁部から突出した状態で前記端子構造に接合されることで前記端子構造に沿って前記延出部が形成された前記タブ群とは、前記重力方向に重ねられ、
前記タブ群における前記端子構造の縁部から突出した部分を余剰部としたとき、前記余剰部を押し上げて撓ませた後、押圧部によって、撓んだ状態の前記余剰部を前記電極組立体に向けて押し、前記余剰部を前記延出部に沿う状態に屈曲させる屈曲工程と、
前記端子構造と前記押圧部との間に前記余剰部が位置する状態を維持しつつ、前記積層方向の一端側において前記タブ群を曲げ、前記蓋の内面と前記タブ群が存在する前記電極組立体のタブ側端面とが対向するように前記蓋及び前記端子構造の姿勢を変更させる第１姿勢変更工程と、
前記端子構造と前記押圧部との間に前記余剰部が位置し、かつ前記蓋の内面と前記タブ側端面とが対向する状態を維持しつつ、前記蓋が前記重力方向の上側に位置し、前記電極組立体が前記重力方向の下側に位置するように、前記電極組立体、前記蓋、及び前記端子構造の姿勢を変更させる第２姿勢変更工程と、
を備えることを特徴とする蓄電装置の製造方法。
【請求項５】
前記端子構造に対し、前記絶縁カバーを取り付ける取付工程を備え、
前記取付工程は、前記第２姿勢変更工程後に行われる請求項４に記載の蓄電装置の製造方法。
【請求項６】
前記絶縁カバーは、前記積層方向の他端側から前記タブ群を覆う第１カバー部と、前記積層方向の一端側から前記タブ群を覆う第２カバー部とを有し、前記第１カバー部と前記第２カバー部とが組み付けられることにより構成され、
前記取付工程は、前記第１カバー部を取り付ける第１取付工程と、前記第１取付工程後に、前記第２カバー部を取り付ける第２取付工程とを有する請求項５に記載の蓄電装置の製造方法。
【発明の詳細な説明】
【技術分野】
【０００１】
本発明は、タブ群とタブ群を覆う絶縁カバーとを有する蓄電装置の製造装置、及び蓄電装置の製造方法に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。特許文献１に開示の二次電池は、複数の電極が積層された電極組立体と、電極の一辺の一部から突出した形状のタブが積層されたタブ群と、電極組立体及びタブ群を収容するケースを備える。ケースは、電極組立体及びタブ群を収容するケース本体と、ケース本体の開口部を閉塞する蓋とを有する。
【０００３】
また、二次電池は、タブ群と接合されるとともに蓋と一体化された端子構造の一部である導電部材と、タブ群を覆う絶縁カバーとを備える。導電部材は、蓋と、蓋の内面に対向し、かつタブ群が存在する電極組立体のタブ側端面との間に配置される。タブ群は、電極の積層方向の一端側において屈曲された第１屈曲部と、第１屈曲部から導電部材に沿う状態に延びる延出部と、延出部と繋がり、積層方向の他端側において屈曲された第２屈曲部と、第２屈曲部から積層方向の一端側に向けて延びる折り返し部とを有する。
【０００４】
絶縁カバーは、積層方向の他端側からタブ群を覆う第１カバー部と、積層方向の一端側からタブ群を覆う第２カバー部とを有する。第１カバー部は、導電部材と蓋の内面との間に介在する第１蓋側絶縁部と、タブ群と電極組立体のタブ側端面との間に配置された電極側絶縁部と、積層方向の他端側においてタブ群とケース本体の内面との間に介在する他端側絶縁部とを備える。第２カバー部は、導電部材と蓋の内面との間に介在する第２蓋側絶縁部と、積層方向の一端側においてタブ群とケース本体の内面との間に介在する一端側絶縁部絶縁部とを備える。第１カバー部と第２カバー部とは、組み付け可能な構造であり、絶縁カバーは、第１カバー部と第２カバー部とが組み付けられることで構成される。
【０００５】
このような二次電池の製造方法は、電極組立体のタブ側端面から突出するタブ群と、蓋と一体化された導電部材とを重ねて配置し、タブ群と導電部材とを接合する接合工程を含む。接合工程では、電極組立体と、蓋、及び蓋と一体化された導電部材とは、作業台の上に並べて配置される。電極組立体は、電極の積層方向が重力方向に延びる状態で、タブ側端面が蓋及び導電部材側を向くように配置される。蓋は、導電部材とは反対側の面が作業台の水平面上に支持される。タブ群は、曲げられていない状態で、タブ群の先端部が導電部材の縁部から突出するように導電部材上に配置される。タブ群において、導電部材の縁部から突出した部分を余剰部とする。
【０００６】
また、二次電池の製造方法は、第１カバー部を取り付ける第１取付工程と、第１取付工程後に、第２カバー部を取り付ける第２取付工程とを含む。第１取付工程では、作業台に出没可能に埋め込まれるとともに余剰部の下側に配置されたピンを上昇させることで、余剰部を押し上げて撓ませる。また、ピンを上昇させながら、第１カバー部を電極組立体とは反対側から蓋及び導電部材に向けて移動させることで、第１カバー部の電極側絶縁部により、撓んだ状態の余剰部を電極組立体に向けて押す。これにより、余剰部は、タブ群の一部に沿う状態に屈曲されながら、タブ群の一部と、第１カバー部の電極側絶縁部と、第１カバー部の他端側絶縁部とによって囲まれた空間に収容される。
【先行技術文献】
【特許文献】
【０００７】
【特許文献１】特開２０１８−１２５２８２号公報
【発明の概要】
【発明が解決しようとする課題】
【０００８】
ところで、第１取付工程に続けて第２取付工程を行うには、第２カバー部を電極組立体側から蓋及び導電部材に向けて移動させて取り付ける必要があるが、蓋の側方には電極組立体が位置するため、第２カバー部と電極組立体とが干渉してしまい、第２カバー部を取り付けることができない。このため、特許文献１には開示されていないものの、第１取付工程後に、積層方向の一端側においてタブ群を曲げ、蓋の内面と電極組立体のタブ側端面とが対向するように蓋及び導電部材の姿勢を変更することが考えられる。これにより、蓋の内面と電極組立体のタブ側端面との間に隙間が形成され、この隙間に向けて第２カバー部を重力方向の下側から上側に向けて移動させることで、第２カバー部を取り付けることができる。
【０００９】
しかしながら、第２カバー部を重力方向の下側から上側に向けて移動させて取り付ける場合、第２カバー部を水平方向や重力方向の上側から下側に向けて移動させて取り付ける場合と比較して取り付け難い。このため、蓋の内面と電極組立体のタブ側端面とが対向するように蓋及び導電部材の姿勢を変更させた後、更に、蓋が重力方向の上側に位置し、電極組立体が重力方向の下側に位置するように、電極組立体、蓋、及び導電部材の姿勢を変更することで、第２カバー部を水平方向に移動させて取り付けできるようになり、第２カバー部を取り付けやすくなる。
【００１０】
このように第１カバー部が取り付けられた状態で蓋及び導電部材の姿勢を変更させる場合、余剰部は、タブ群の一部と、第１カバー部の電極側絶縁部と、第１カバー部の他端側絶縁部とによって囲まれた空間に収容されているため、余剰部と電極組立体とが干渉することによる電極組立体の損傷が抑制される。その一方で、姿勢を変更させる際に第１カバー部が位置ずれしてしまい、第２取付工程において、第１カバー部に対して第２カバー部を組み付けられない虞がある。また、絶縁カバーが、第１カバー部と第２カバー部とを組み付ける構造でない場合であっても、取り付けた後の絶縁カバーが位置ずれすることは、絶縁を確保する上で好ましくない。
【００１１】
本発明は、上記課題を解決するためになされたものであり、その目的は、絶縁カバーの位置ずれを回避しつつタブ群と電極組立体との干渉を抑制できる蓄電装置の製造装置、及び蓄電装置の製造方法を提供することにある。
【課題を解決するための手段】
【００１２】
上記問題点を解決するための蓄電装置の製造装置は、複数の電極が積層された電極組立体と、前記電極の一辺の一部から突出した形状のタブが積層されたタブ群と、前記電極組立体及び前記タブ群を収容するケース本体、及び前記ケース本体の開口部を閉塞する蓋を有するケースと、前記タブ群と接合されるとともに前記蓋と一体化された端子構造と、前記タブ群を覆う絶縁カバーと、を備え、前記タブ群は、前記電極の積層方向の一端側において屈曲された第１屈曲部と、前記第１屈曲部から前記端子構造に沿う状態に延びる延出部と、前記延出部と繋がり、前記積層方向の他端側において屈曲された第２屈曲部と、前記第２屈曲部から前記積層方向の一端側に向けて延びる折り返し部とを有する蓄電装置の製造装置であって、前記積層方向が重力方向に延びる状態に前記電極組立体を保持する保持構造と、前記蓋と、前記蓋と一体化された前記端子構造と、前記電極組立体から曲げられていない状態で延出するとともに、先端部が前記端子構造の縁部から突出した状態で前記端子構造に接合されることで前記端子構造に沿って前記延出部が形成された前記タブ群とが、前記重力方向に重ねられて載置される載置部と、前記タブ群における前記端子構造の縁部から突出した部分を余剰部としたとき、前記余剰部の下側に配置され、前記余剰部を押し上げて撓ませる押上部と、撓んだ状態の前記余剰部を前記電極組立体に向けて押し、前記余剰部を前記延出部に沿う状態に屈曲させる押圧部と、前記端子構造と前記押圧部との間に前記余剰部が位置する状態で、前記載置部及び前記押圧部を回動させることにより、前記積層方向の一端側において前記タブ群を曲げ、前記蓋の内面と前記タブ群が存在する前記電極組立体のタブ側端面とが対向するように前記蓋及び前記端子構造の姿勢を変更させる第１姿勢変更機構と、前記端子構造と前記押圧部との間に前記余剰部が位置し、かつ前記蓋の内面と前記タブ側端面とが対向する状態で、前記保持構造、前記載置部、及び前記押圧部を回動させることにより、前記蓋が前記重力方向の上側に位置し、前記電極組立体が前記重力方向の下側に位置するように、前記電極組立体、前記蓋、及び前記端子構造の姿勢を変更させる第２姿勢変更機構と、を備えることを要旨とする。
【００１３】
これによれば、押上部により、余剰部を押し上げて撓ませ、押圧部により、撓んだ状態の余剰部を電極組立体に向けて押し、余剰部を延出部に沿う状態に屈曲させる。そして、押圧部によって余剰部を屈曲させたまま、第１及び第２姿勢変更機構により、電極組立体、蓋、及び端子構造の姿勢を変更させる。このため、タブ群の余剰部と電極組立体との干渉を抑制できる。また、電極組立体、蓋、及び端子構造の姿勢の変更は、絶縁カバーの取り付け前に行われるため、姿勢変更による絶縁カバーの位置ずれを回避できる。
【００１４】
また、上記蓄電装置の製造装置について、前記載置部に、前記蓋を保持する蓋保持部を備えるのが好ましい。
これによれば、押上部によって余剰部を押し上げた際に、余剰部とともに蓋及び端子構造が載置部から浮き上がることを抑制できる。
【００１５】
また、上記蓄電装置の製造装置について、前記端子構造は、引出端子と、前記引出端子と接合される導電部材とを備え、前記タブ群は、前記導電部材に接合されていてもよい。
上記問題点を解決するための蓄電装置の製造方法は、複数の電極が積層された電極組立体と、前記電極の一辺の一部から突出した形状のタブが積層されたタブ群と、前記電極組立体及び前記タブ群を収容するケース本体、及び前記ケース本体の開口部を閉塞する蓋を有するケースと、前記タブ群と接合されるとともに前記蓋と一体化された端子構造と、前記タブ群を覆う絶縁カバーと、を備え、前記タブ群は、前記電極の積層方向の一端側において屈曲された第１屈曲部と、前記第１屈曲部から前記端子構造に沿う状態に延びる延出部と、前記延出部と繋がり、前記積層方向の他端側において屈曲された第２屈曲部と、前記第２屈曲部から前記積層方向の一端側に向けて延びる折り返し部とを有する蓄電装置の製造方法であって、前記電極組立体は、前記積層方向が重力方向に延びる状態で保持され、前記蓋と、前記蓋と一体化された前記端子構造と、前記電極組立体から曲げられていない状態で延出するとともに、先端部が前記端子構造の縁部から突出した状態で前記端子構造に接合されることで前記端子構造に沿って前記延出部が形成された前記タブ群とは、前記重力方向に重ねられ、前記タブ群における前記端子構造の縁部から突出した部分を余剰部としたとき、前記余剰部を押し上げて撓ませた後、押圧部によって、撓んだ状態の前記余剰部を前記電極組立体に向けて押し、前記余剰部を前記延出部に沿う状態に屈曲させる屈曲工程と、前記端子構造と前記押圧部との間に前記余剰部が位置する状態を維持しつつ、前記積層方向の一端側において前記タブ群を曲げ、前記蓋の内面と前記タブ群が存在する前記電極組立体のタブ側端面とが対向するように前記蓋及び前記端子構造の姿勢を変更させる第１姿勢変更工程と、前記端子構造と前記押圧部との間に前記余剰部が位置し、かつ前記蓋の内面と前記タブ側端面とが対向する状態を維持しつつ、前記蓋が前記重力方向の上側に位置し、前記電極組立体が前記重力方向の下側に位置するように、前記電極組立体、前記蓋、及び前記端子構造の姿勢を変更させる第２姿勢変更工程と、を備えることを要旨とする。
【００１６】
これによれば、屈曲工程では、余剰部を押し上げて撓ませ、押圧部により、撓んだ状態の余剰部を電極組立体に向けて押圧し、余剰部を延出部に沿う状態に曲げる。そして、押圧部によって余剰部を屈曲させたまま、第１及び第２姿勢変更工程を行う。このため、タブ群の余剰部と電極組立体との干渉を抑制できる。また、第１及び第２姿勢変更工程は、絶縁カバーの取り付け前に行われるため、姿勢変更による絶縁カバーの位置ずれが回避できる。
【００１７】
また、上記蓄電装置の製造方法について、前記端子構造に対し、前記絶縁カバーを取り付ける取付工程を備え、前記取付工程は、前記第２姿勢変更工程後に行われるのが好ましい。
【００１８】
これによれば、第２姿勢変更工程によって、タブ群が存在する電極組立体のタブ側端面、蓋、及び端子構造は、水平に配置される。このため、絶縁カバーを水平方向に移動させて取り付けでき、重力方向の下側から上側に向けて移動させて取り付ける場合と比較して取り付けやすくなる。また、屈曲工程において、押圧部の代わりに絶縁カバーによって余剰部を押圧して余剰部を屈曲させる場合、絶縁カバーと、余剰部を押し上げて撓ませる押上部とが干渉しないように絶縁カバーの形状を工夫する必要があり、絶縁カバーの形状が複雑になっていた。これに対し、押圧部によって余剰部を押圧する場合、繰り返し使用可能な押圧部の形状を工夫すればよく、絶縁カバーの形状を変更しなくても済む。よって、絶縁カバーの形状の複雑化を抑制できる。
【００１９】
また、上記蓄電装置の製造方法について、前記絶縁カバーは、前記積層方向の他端側から前記タブ群を覆う第１カバー部と、前記積層方向の一端側から前記タブ群を覆う第２カバー部とを有し、前記第１カバー部と前記第２カバー部とが組み付けられることにより構成され、前記取付工程は、前記第１カバー部を取り付ける第１取付工程と、前記第１取付工程後に、前記第２カバー部を取り付ける第２取付工程とを有するのが好ましい。
【００２０】
これによれば、絶縁カバーは、第１カバー部と第２カバー部とを組み付けることで構成されるため、第１カバー部が位置ずれすると、第１カバー部に第２カバー部を組み付けられない虞がある。よって、第２姿勢変形工程後に第１取付工程を行うことで第１カバー部の位置ずれを回避するのが効果的である。
【発明の効果】
【００２１】
本発明によれば、絶縁カバーの位置ずれを回避しつつタブ群と電極組立体との干渉を抑制できる。
【図面の簡単な説明】
【００２２】
【図１】実施形態の二次電池の分解斜視図。
【図２】二次電池の断面図。
【図３】絶縁カバーの分解斜視図。
【図４】溶接工程を示す断面図。
【図５】二次電池の製造装置の平面図。
【図６】二次電池の製造装置の断面図。
【図７】屈曲工程を示す断面図。
【図８】（ａ）は屈曲工程を示す平面図、（ｂ）は屈曲工程を示す断面図。
【図９】第１姿勢変更工程を示す断面図。
【図１０】第２姿勢変更工程を示す断面図。
【図１１】第１取付工程を示す断面図。
【図１２】第２取付工程を示す断面図。
【発明を実施するための形態】
【００２３】
以下、蓄電装置の製造装置及び製造方法を、二次電池の製造装置及び製造方法に具体化した一実施形態を図１〜図１２にしたがって説明する。
図１に示すように、蓄電装置としての二次電池１０は、ケース１１を備える。二次電池１０は、ケース１１に収容された電極組立体１２を備える。ケース１１は、直方体状のケース本体１３と、ケース本体１３の開口部１３ａを閉塞する矩形平板状の蓋１４とを有する。ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面１４ａとし、ケース１１の外側に臨む面を外面１４ｂとする。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００２４】
図２に示すように、電極組立体１２は、複数の電極としての正極電極２１と、複数の電極としての負極電極２２と、複数のセパレータ２３とを備える。電極組立体１２は、正極電極２１と負極電極２２との間にセパレータ２３を介在させ、かつ相互に絶縁させた状態で積層した層状構造を有する。
【００２５】
正極電極２１は、矩形シート状の正極集電体（例えばアルミニウム箔）２４と、正極集電体２４の両面に存在する正極活物質層２５とを有する。正極電極２１は、一辺２１ａの一部から突出した矩形状の正極のタブ２６を有する。正極のタブ２６は、正極活物質層２５が存在せず、正極集電体２４そのもので構成されている。正極のタブ２６の長手方向は、正極電極２１の一辺２１ａからのタブ２６の突出方向と一致し、正極のタブ２６の短手方向は、正極電極２１の一辺２１ａに沿う方向と一致する。正極電極２１の一辺２１ａからの正極のタブ２６の突出量は、全ての正極電極２１でほぼ同じである。
【００２６】
負極電極２２は、矩形シート状の負極集電体（例えば銅箔）２７と、負極集電体２７の両面に存在する負極活物質層２８とを有する。負極電極２２は、一辺２２ａの一部から突出した矩形状の負極のタブ２６を有する。負極のタブ２６は、負極活物質層２８が存在せず、負極集電体２７そのもので構成されている。負極のタブ２６の長手方向は、負極電極２２の一辺２２ａからのタブ２６の突出方向と一致し、負極のタブ２６の短手方向は、負極電極２２の一辺２２ａに沿う方向と一致する。負極電極２２の一辺２２ａからの負極のタブ２６の突出量は、全ての負極電極２２でほぼ同じである。正極及び負極のタブ２６は、正極電極２１及び負極電極２２が積層された状態で、正極のタブ２６と負極のタブ２６とが重ならないように位置する。セパレータ２３は、絶縁性を有し、正極電極２１と負極電極２２とを絶縁する。正極電極２１、負極電極２２、及びセパレータ２３が積層された方向を積層方向とする。
【００２７】
電極組立体１２は、タブ側端面１２ａを備える。タブ側端面１２ａは、正極電極２１の一辺２１ａ、負極電極２２の一辺２２ａ、及びセパレータ２３の一辺によって構成されている。電極組立体１２を構成する各正極電極２１は、それぞれのタブ２６が積層方向に沿って配列されるように積層される。同様に、電極組立体１２を構成する各負極電極２２は、それぞれのタブ２６が積層方向に沿って配列されるように積層される。また、電極組立体１２は、タブ側端面１２ａとは反対側の端面に底側端面１２ｂを備える。
【００２８】
二次電池１０は、電極組立体１２のタブ側端面１２ａから突出した正極のタブ群１５を有する。正極のタブ群１５は、全ての正極のタブ２６が積層方向の一端側に寄せ集められ積層されることで形成される。また、電極組立体１２は、タブ側端面１２ａから突出した負極のタブ群１５を有する。負極のタブ群１５は、全ての負極のタブ２６が積層方向の一端側に寄せ集められ積層されることで形成される。正極のタブ群１５と負極のタブ群１５とは、正極電極２１及び負極電極２２の一辺２１ａ，２２ａに沿う方向において間隔を空けて並ぶ。
【００２９】
図２に示すように、各極のタブ群１５において、積層方向の一端に位置するタブ２６を一端側タブ２６ａとし、積層方向の他端に位置するタブ２６を他端側タブ２６ｂとする。各極のタブ群１５において、各タブ２６は、他端側タブ２６ｂが一端側タブ２６ａに接近するように積層方向の一端側に寄せ集められている。また、上述したように、正極電極２１の一辺２１ａからの正極のタブ２６の突出量は、全ての正極電極２１で同じであり、負極電極２２の一辺２２ａからの負極のタブ２６の突出量は、全ての負極電極２２で同じである。このため、各極のタブ群１５において、一端側タブ２６ａの先端は、他端側タブ２６ｂの先端よりも突出している。タブ群１５の先端では、各タブ２６の先端が段状に並んでいる。
【００３０】
タブ群１５は、積層方向の一端側において屈曲された第１屈曲部１５ａと、第１屈曲部１５ａから積層方向の他端側に向けて延びる延出部１５ｂと、延出部１５ｂと繋がり、積層方向の他端側において屈曲された第２屈曲部１５ｃと、第２屈曲部１５ｃから積層方向の一端側に向けて延びる折り返し部１５ｄとを有する。第１屈曲部１５ａ、延出部１５ｂ、第２屈曲部１５ｃ、及び折り返し部１５ｄの一部は、全てのタブ２６が積層されて構成される。タブ群１５における各タブ２６の先端が段状に並ぶ部分は、折り返し部１５ｄにおける第２屈曲部１５ｃとは反対側の端部に存在する。
【００３１】
図１に示すように、二次電池１０は、正極及び負極の端子構造１６を備える。正極の端子構造１６は、蓋１４の長手方向の一端側に配置され、負極の端子構造１６は、蓋１４の長手方向の他端側に配置される。正極の端子構造１６と負極の端子構造１６は、基本的に同じ構成である。
【００３２】
正極及び負極の端子構造１６はそれぞれ、矩形板状の導電部材１７を備える。各導電部材１７は、蓋１４の内面１４ａに沿うようにして、蓋１４の内面１４ａと電極組立体１２のタブ側端面１２ａとの間に配置されている。各導電部材１７は、長手が蓋１４の長手方向へ延びるクランク状であり、各導電部材１７の短手は、積層方向へ延びる。各導電部材１７と蓋１４の内面１４ａとの間には隙間が存在する。図２に示すように、各タブ群１５の延出部１５ｂは、各導電部材１７に沿う状態に配置される。正極の導電部材１７は、溶接部Ａによって正極のタブ群１５の延出部１５ｂと接合される。負極の導電部材１７は、溶接部Ａによって負極のタブ群１５の延出部１５ｂと接合される。
【００３３】
正極及び負極の端子構造１６はそれぞれ、導電部材１７に接続された引出端子１６ａを備える。各引出端子１６ａは、板状の基部１６１と、基部１６１から突出する軸部１６２とを有する。引出端子１６ａは、電極組立体１２と電気を授受する。正極の引出端子１６ａの基部１６１は、正極の導電部材１７と電気的に接続され、負極の引出端子１６ａの基部１６１は、負極の導電部材１７と電気的に接続されている。各引出端子１６ａの軸部１６２の先端部は、蓋１４を貫通してケース１１の外部に突出するとともに、かしめられている。引出端子１６ａの軸部１６２は、二次電池１０の内外を繋ぐ。正極及び負極の端子構造１６はそれぞれ、ケース１１の外部で引出端子１６ａの軸部１６２と電気的に接続された端子接合部材１６ｂと、端子接合部材１６ｂと電気的に接続された外部接続端子１６ｃとを備える。外部接続端子１６ｃには、二次電池１０同士を電気的に接続する図示しない外部装置としてのバスバーが固定可能である。各端子構造１６は、電極組立体１２とバスバーとを電気的に接続している。
【００３４】
図１及び図２に示すように、二次電池１０は、端子接合部材１６ｂを蓋１４から絶縁する外側絶縁部材１８ａを蓋１４の外面１４ｂに備える。二次電池１０は、引出端子１６ａの基部１６１を蓋１４から絶縁する内側絶縁部材１８ｂをケース１１の内部に備える。蓋１４と、正極及び負極の端子構造１６と、外側絶縁部材１８ａと、内側絶縁部材１８ｂとが一体化されたものを蓋側部材Ｗ１とし、電極組立体１２と蓋側部材Ｗ１とが一体化されたものを蓋端子組立体Ｗ２とする。
【００３５】
図１〜図３に示すように、二次電池１０は、ケース１１内に絶縁カバー１９を備える。絶縁カバー１９は、積層方向の他端側、すなわちタブ群１５の第２屈曲部１５ｃ側から取り付けられた第１カバー部３０と、積層方向の一端側、すなわちタブ群１５の第１屈曲部１５ａ側から取り付けられた第２カバー部４０とを備える。
【００３６】
第１カバー部３０は、矩形板状の第１蓋側絶縁部３１と、矩形板状の電極側絶縁部３２と、第１蓋側絶縁部３１の長手方向に沿う一辺と電極側絶縁部３２の長手方向に沿う一辺とを接続する他端側絶縁部３３とを備える。
【００３７】
図２に示すように、第１蓋側絶縁部３１は、蓋１４の内面１４ａと導電部材１７との間に配置されている。第１蓋側絶縁部３１は、正極及び負極の導電部材１７に支持されている。図２及び図３に示すように、第１蓋側絶縁部３１は、電極組立体１２のタブ側端面１２ａと対向する対向面から電極組立体１２側に突出したリブ３４を備える。リブ３４は、蓋１４側に凹む形状の係止凹部３４ａを備える。
【００３８】
図２に示すように、電極側絶縁部３２は、電極組立体１２のタブ側端面１２ａと、タブ群１５の折り返し部１５ｄとの間に位置する。電極側絶縁部３２は、折り返し部１５ｄを電極組立体１２側から覆う。折り返し部１５ｄは、電極側絶縁部３２と、導電部材１７と、他端側絶縁部３３とで区画された隙間に入り込んだ状態にある。
【００３９】
図１及び図３に示すように、電極側絶縁部３２の長手方向の寸法は、第１蓋側絶縁部３１の長手方向の寸法よりも長い。電極側絶縁部３２は、長手方向の一端側に正極絶縁部３２ａを備え、長手方向の他端側に負極絶縁部３２ｂを備える。正極絶縁部３２ａは、正極の導電部材１７と電極組立体１２のタブ側端面１２ａとの間に位置し、正極の導電部材１７と電極組立体１２とを絶縁する。負極絶縁部３２ｂは、負極の導電部材１７と電極組立体１２のタブ側端面１２ａとの間に位置し、負極の導電部材１７と電極組立体１２とを絶縁する。
【００４０】
図２に示すように、他端側絶縁部３３は、タブ群１５の第２屈曲部１５ｃを外側から覆う。他端側絶縁部３３は、タブ群１５の第２屈曲部１５ｃとケース本体１３の一方の長側壁１３ｃの内面との間に位置し、タブ群１５とケース本体１３とを絶縁する。
【００４１】
図１に示すように、第２カバー部４０は、矩形状の第２蓋側絶縁部４１と、第２蓋側絶縁部４１の長手方向に沿う一辺から電極組立体１２に向けて立設された一端側絶縁部４２とを備える。
【００４２】
図２に示すように、第２蓋側絶縁部４１は、蓋１４の内面１４ａと導電部材１７との間に配置されている。第２蓋側絶縁部４１は、第１カバー部３０に向けて突出した形状の突出部４３を備える。突出部４３は、先端部に係止爪４３ａを備える。係止爪４３ａは、第１カバー部３０の係止凹部３４ａに係止可能である。一端側絶縁部４２は、タブ群１５の第１屈曲部１５ａを外側から覆う。一端側絶縁部４２は、積層方向において、タブ群１５の第１屈曲部１５ａと、ケース本体１３の他方の長側壁１３ｃの内面との間に位置し、タブ群１５とケース本体１３とを絶縁する。
【００４３】
第１カバー部３０と第２カバー部４０とは、第１カバー部３０の係止凹部３４ａに第２カバー部４０の係止爪４３ａが係止されることで一体に組み付けられ、絶縁カバー１９を構成する。
【００４４】
次に、二次電池１０の製造方法について、図４〜図１２を用いて説明する。なお、図４〜図１２では、蓋端子組立体Ｗ２のうち、電極組立体１２、タブ群１５、蓋１４、及び導電部材１７以外の部材については図示を省略している。
【００４５】
二次電池１０の製造方法は、蓋側部材Ｗ１を製造する蓋側部材製造工程と、電極組立体１２と蓋側部材Ｗ１とを一体化して蓋端子組立体Ｗ２を製造する蓋端子組立体製造工程とを備える。
【００４６】
蓋側部材製造工程では、まず、端子構造１６の一部である引出端子１６ａの基部１６１と導電部材１７とを接合する。次に、基部１６１上に、内側絶縁部材１８ｂを配置し、内側絶縁部材１８ｂ上に蓋１４を配置する。次に、蓋１４上に外側絶縁部材１８ａを配置し、外側絶縁部材１８ａ上に端子構造１６の一部である端子接合部材１６ｂを配置する。引出端子１６ａの軸部１６２は、内側絶縁部材１８ｂ、蓋１４、外側絶縁部材１８ａ、及び端子接合部材１６ｂを貫通する。次に、蓋１４の外面１４ｂから突出する各引出端子１６ａの軸部１６２の先端部をかしめる。これにより、端子構造１６と、外側絶縁部材１８ａと、内側絶縁部材１８ｂとが蓋１４に一体化され、蓋側部材Ｗ１が完成する。
【００４７】
蓋端子組立体製造工程は、電極組立体１２が備える複数のタブ２６を集箔してタブ群１５を形成する集箔工程と、タブ群１５と、蓋側部材Ｗ１の一部である導電部材１７とを接合する接合工程とを含む。
【００４８】
図４に示すように、集箔工程では、蓋側部材Ｗ１の一部である導電部材１７上に、電極組立体１２のタブ側端面１２ａから突出する全てのタブ２６を重ねて配置する。このとき、全てのタブ２６は、曲げられていない状態である。全てのタブ２６を導電部材１７上に配置すると、各タブ２６の先端は、導電部材１７における電極組立体１２とは反対側の長縁部１７ａから突出した状態となる。次に、押圧治具５１によって、タブ２６を挟んで導電部材１７の反対側から全てのタブ２６を押圧し、積層方向の一端に寄せ集める。これにより、タブ群１５が形成される。タブ群１５において、導電部材１７の長縁部１７ａから突出した部分を余剰部１５ｅとする。この余剰部１５ｅは、後に第２屈曲部１５ｃ及び折り返し部１５ｄとなる部分である。
【００４９】
接合工程では、押圧治具５１によってタブ群１５を導電部材１７に向けて押圧した状態で、レーザ照射装置５２によって、重ねられたタブ群１５及び導電部材１７に向けてレーザを照射する。これにより、タブ群１５における導電部材１７と重なる部分に延出部１５ｂが形成されるとともに、タブ群１５の延出部１５ｂと導電部材１７とが溶接された溶接部Ａが形成される。電極組立体１２と蓋側部材Ｗ１とは、溶接部Ａによって一体化され、蓋端子組立体Ｗ２が完成する。
【００５０】
二次電池１０の製造方法は、タブ群１５を屈曲して第２屈曲部１５ｃ及び折り返し部１５ｄを形成する屈曲工程と、蓋端子組立体Ｗ２の姿勢を変更する姿勢変更工程とを備える。
【００５１】
ここで、屈曲工程及び姿勢変更工程を行う二次電池の製造装置６０について、図５及び図６を用いて説明する。なお、図５及び図６では、屈曲工程での二次電池の製造装置６０を図示している。
【００５２】
図５及び図６に示すように、二次電池の製造装置６０は、電極組立体１２が載置される第１載置部６１と、蓋側部材Ｗ１が載置される載置部としての第２載置部６２とを備える。第１載置部６１と第２載置部６２は、水平方向に並設される。第１載置部６１は、電極組立体１２を支持する支持面６１ａを有し、第２載置部６２は、蓋側部材Ｗ１を支持する支持面６２ａを有する。第１載置部６１及び第２載置部６２は、支持面６１ａ，６２ａが重力方向の上側を向くように水平に配置される。以下、図５〜図８において、第１載置部６１と第２載置部６２とが並設される方向をＸ方向とし、重力方向及びＸ方向と直交する方向をＹ方向とする。
【００５３】
第２載置部６２は、２つの収容孔６２ｂと、各収容孔６２ｂに収容された押上部としてのピン６３とを有する。各ピン６３は、図示しない駆動部に接続され、第２載置部６２の支持面６２ａから出没可能である。２本のピン６３は、Ｙ方向において間隔を空けて配置され、２本のピン６３の間隔は、正極のタブ群１５の短手方向の中央から負極のタブ群１５における短手方向の中央までの距離とほぼ同じである。
【００５４】
二次電池の製造装置６０は、第１載置部６１の支持面６１ａの上方に配置された組立体保持部６４ａを備える。第１載置部６１の支持面６１ａと組立体保持部６４ａとは、電極組立体１２を挟持可能である。つまり、第１載置部６１及び組立体保持部６４ａは、電極組立体１２を保持する保持構造６４を構成している。
【００５５】
二次電池の製造装置６０は、第２載置部６２の支持面６２ａに一対の蓋保持部６５を備える。一方の蓋保持部６５と他方の蓋保持部６５とは、Ｙ方向に並んでいる。各蓋保持部６５は、Ｙ方向に移動可能な状態で第２載置部６２に配置されている。各蓋保持部６５は、図示しない駆動部に接続されている。駆動部は、各蓋保持部６５をＹ方向に移動させることにより、一対の蓋保持部６５を、蓋１４を蓋１４の長手方向の両側から保持する保持位置と、蓋１４を保持しない非保持位置とで移動させる。
【００５６】
二次電池の製造装置６０は、第２載置部６２の支持面６２ａに押圧装置６６を備える。押圧装置６６は、本体部６７と、本体部６７から延びる２本のアーム部６８と、２本のアーム部６８の先端に接続された矩形板状の押圧部６９とを備える。２本のアーム部６８は、Ｘ方向に伸縮可能である。本体部６７は、各アーム部６８を伸縮させる駆動部を有する。押圧部６９の長手方向はＹ方向と一致し、押圧部６９の短手方向はＸ方向と一致する。重力方向において、押圧部６９の下面は、第２載置部６２の支持面６２ａと離間している。押圧部６９は、第１載置部６１側の長縁部６９ａから本体部６７側に向けて凹む２つの溝６９ｂを有する。各溝６９ｂは、Ｙ方向において間隔を空けて配置され、２つの溝６９ｂの間隔は、２本のピン６３の間隔とほぼ同じである。
【００５７】
Ｘ方向における押圧部６９の位置は、各アーム部６８の伸縮状態に応じて変化する。各アーム部６８が縮んだ状態にあるとき、押圧部６９は、Ｘ方向において２本のピン６３と本体部６７との間に位置する。図８（ａ）及び図８（ｂ）に示すように、各アーム部６８が伸びた状態にあるとき、押圧部６９における第１載置部６１側の長縁部６９ａは、Ｘ方向において第１載置部６１と２本のピン６３との間に位置する。
【００５８】
図５及び図６に示すように、二次電池の製造装置６０は、蓋側部材Ｗ１の姿勢を変更する第１姿勢変更機構７１と、蓋端子組立体Ｗ２の姿勢を変更する第２姿勢変更機構７２とを備える。なお、図７及び図８（ｂ）では、第２姿勢変更機構７２の図示を省略している。第１姿勢変更機構７１は、第１回転シリンダ７３と、第１回転シリンダ７３に接続された第１アーム部７４とを備える。第２姿勢変更機構７２は、第１姿勢変更機構７１に加えて、第２回転シリンダ７５と、第２回転シリンダ７５に接続された第２アーム部７６とを備える。図５に示すように、第１回転シリンダ７３と第２回転シリンダ７５とは、Ｙ方向において第１載置部６１及び第２載置部６２を挟む位置に配置される。
【００５９】
第１回転シリンダ７３及び第２回転シリンダ７５はそれぞれ、円筒状のシリンダチューブ７３ａ，７５ａと、シリンダチューブ７３ａ，７５ａの端面から突出する軸部７３ｂ，７５ｂとを有する。各シリンダチューブ７３ａ，７５ａは、軸部７３ｂ，７５ｂを回転させる図示しない駆動部を有する。各軸部７３ｂ，７５ｂは、蓋１４の内面１４ａにおける電極組立体１２側の長縁部１４ｃに沿う直線をＹ方向に延ばした延長線Ｌ上に配置されている。
【００６０】
第１アーム部７４の一端部は、第１回転シリンダ７３の軸部７３ｂに接続され、第１アーム部７４の他端部は、第２載置部６２に接続されている。第１回転シリンダ７３の軸部７３ｂが回転すると、第２載置部６２は軸部７３ｂを中心に回転する。なお、各蓋保持部６５及び押圧装置６６は、第２載置部６２とともに回転する。同様に、第２アーム部７６の一端部は、第２回転シリンダ７５の軸部７５ｂに接続され、第２アーム部７６の他端部は、保持構造６４の第１載置部６１に接続されている。第２回転シリンダ７５の軸部７５ｂが回転すると、保持構造６４は軸部７５ｂを中心に回転する。
【００６１】
屈曲工程では、まず、図５及び図６に示すように、蓋端子組立体Ｗ２を第１載置部６１及び第２載置部６２上に載置する。電極組立体１２は、タブ側端面１２ａが第２載置部６２側に位置するとともに積層方向が重力方向に延びる状態で、第１載置部６１の支持面６１ａ上に載置される。蓋側部材Ｗ１は、蓋１４の長手方向がＹ方向と一致し、蓋１４の短手方向がＸ方向と一致するように、第２載置部６２の支持面６２ａ上に載置される。第２載置部６２に載置された蓋側部材Ｗ１において、蓋１４、導電部材１７、及びタブ群１５は重力方向に重なっている。導電部材１７は重力方向の上側に位置し、蓋１４は重力方向の下側に位置する。また、蓋側部材Ｗ１は、各タブ群１５の余剰部１５ｅの下側に各ピン６３が位置するように、第２載置部６２の支持面６２ａにおける第１載置部６１寄りの部分に配置される。各ピン６３は、第２載置部６２の支持面６２ａから突出していない状態にある。押圧装置６６の各アーム部６８は、縮んだ状態である。組立体保持部６４ａは、第１載置部６１の支持面６１ａとともに電極組立体１２を積層方向に挟持することで、電極組立体１２を保持する。一対の蓋保持部６５は、非保持位置から保持位置に移動することにより、蓋１４を長手方向の両側から挟持する。
【００６２】
次に、図７に示すように、各ピン６３を上昇させて第２載置部６２の支持面６２ａから突出させることにより、各ピン６３は、各タブ群１５の一端側タブ２６ａに接触した後、各タブ群１５を押し上げる。これにより、各タブ群１５の余剰部１５ｅは、重力方向の上側に向けて撓む。次に、各アーム部６８を伸ばして、押圧部６９を余剰部１５ｅに向けてＸ方向に移動させる。これにより、押圧部６９の長縁部６９ａは、各ピン６３によって撓んだ状態の余剰部１５ｅの一端側タブ２６ａに接触し、押圧部６９は、余剰部１５ｅを電極組立体１２のタブ側端面１２ａに向けて押し始める。このとき、上昇した各ピン６３は、押圧部６９の各溝６９ｂに入り込むため、各ピン６３と押圧部６９との干渉が回避される。
【００６３】
図８（ａ）及び図８（ｂ）に示すように、押圧部６９が余剰部１５ｅを電極組立体１２に向けて押し始めた後、各ピン６３を下降させながら、押圧部６９を電極組立体１２に向けて更に移動させる。これにより、タブ群１５の余剰部１５ｅは、他端側タブ２６ｂが延出部１５ｂと対向するように折り返される。よって、余剰部１５ｅには第２屈曲部１５ｃが形成され、余剰部１５ｅにおける延出部１５ｂに沿う部分は折り返し部１５ｄとなる。
【００６４】
姿勢変更工程は、蓋側部材Ｗ１の姿勢を変更する第１姿勢変更工程と、蓋端子組立体Ｗ２の姿勢を変更する第２姿勢変更工程とを備える。
図９に示すように、第１姿勢変更工程では、各アーム部６８が伸びた状態、すなわち導電部材１７と押圧部６９との間にタブ群１５が位置する状態を維持しつつ、第１回転シリンダ７３の軸部７３ｂを９０度回転させ、第２載置部６２を重力方向の上側に向けて９０度回動させる。すると、第２載置部６２は、支持面６２ａが重力方向に沿う姿勢となる。これにより、積層方向の一端側においてタブ群１５が曲げられ、タブ群１５には第１屈曲部１５ａが形成される。また、蓋１４の内面１４ａや折り返し部１５ｄは、電極組立体１２のタブ側端面１２ａと対向する。蓋端子組立体Ｗ２は、電極組立体１２のタブ側端面１２ａ、蓋１４、及び導電部材１７それぞれが重力方向に沿う姿勢となる。
【００６５】
図１０に示すように、第２姿勢変更工程では、導電部材１７と押圧部６９との間にタブ群１５が位置し、かつ蓋１４の内面１４ａと電極組立体１２のタブ側端面１２ａとが対向した状態を維持しつつ、第１回転シリンダ７３の軸部７３ｂを９０度回転させ、第２載置部６２を重力方向の下側に向けて９０度回動させる。また、第２載置部６２を回動させるのと同時に、第２回転シリンダ７５の軸部７５ｂを９０度回転させ、保持構造６４を重力方向の下側に向けて９０度回動させる。すると、第２載置部６２は、支持面６２ａが水平方向に沿う姿勢となり、第１載置部６１は、支持面６１ａが重力方向に沿う姿勢となる。これにより、蓋端子組立体Ｗ２は、蓋１４が重力方向の上側に位置し、電極組立体１２が重力方向の下側に位置する姿勢となる。蓋１４、導電部材１７、及び電極組立体１２のタブ側端面１２ａはそれぞれ、水平に配置される。蓋端子組立体Ｗ２は、第２姿勢変更工程後の姿勢が維持された状態で、後述の仮収容工程に搬送される。
【００６６】
二次電池１０の製造方法は、蓋端子組立体Ｗ２における電極組立体１２の一部をケース本体１３に収容する仮収容工程と、蓋端子組立体Ｗ２に絶縁カバー１９を取り付ける取付工程と、絶縁カバー１９が取り付けられた蓋端子組立体Ｗ２をケース１１に収容する本収容工程とを備える。
【００６７】
仮収容工程では、ケース本体１３の開口部１３ａの上方に、第２姿勢変更工程後の姿勢の蓋端子組立体Ｗ２を配置する。そして、電極組立体１２の底側端面１２ｂとケース本体１３の底壁１３ｂの内面とが重力方向に近付くように、蓋端子組立体Ｗ２の電極組立体１２を底側端面１２ｂ側からケース本体１３に収容する。仮収容工程においてケース本体１３内に収容するのは、電極組立体１２の一部であり、電極組立体１２のタブ側端面１２ａをケース本体１３の長側壁１３ｃ及び短側壁１３ｄの先端面よりも上側に位置させる。
【００６８】
取付工程は、蓋端子組立体Ｗ２に対し、第１カバー部３０を取り付ける第１取付工程と、蓋端子組立体Ｗ２に対し、第２カバー部４０を取り付ける第２取付工程とを備える。
図１１に示すように、第１取付工程では、蓋端子組立体Ｗ２に対し、積層方向の他端側から一端側に向けて第１カバー部３０を移動させることにより、第１カバー部３０を取り付ける。詳しくは、第１蓋側絶縁部３１は、正極及び負極の導電部材１７と蓋１４の内面１４ａとの間に挿入され、電極側絶縁部３２は、タブ群１５の折り返し部１５ｄと電極組立体１２のタブ側端面１２ａとの間に配置される。また、正極絶縁部３２ａは、正極の導電部材１７と電極組立体１２のタブ側端面１２ａとの間に配置され、負極絶縁部３２ｂは、負極の導電部材１７と電極組立体１２のタブ側端面１２ａとの間に配置される。また、第１カバー部３０の他端側絶縁部３３は、タブ群１５の第２屈曲部１５ｃを積層方向の他端側から覆う。このとき、上述の姿勢変更工程により、蓋端子組立体Ｗ２は、蓋１４、導電部材１７、及び電極組立体１２のタブ側端面１２ａそれぞれが水平な姿勢となっているため、第１カバー部３０も第１蓋側絶縁部３１及び電極側絶縁部３２が水平となる姿勢で取り付けられる。
【００６９】
図１２に示すように、第２取付工程では、蓋端子組立体Ｗ２に対し、積層方向の一端側から他端側に向けて第２カバー部４０を取り付ける。詳しくは、第２カバー部４０の第２蓋側絶縁部４１及び突出部４３は、正極及び負極の導電部材１７と蓋１４の内面１４ａとの間に挿入されるとともに、突出部４３の係止爪４３ａは、第１カバー部３０の係止凹部３４ａに係止される。また、第２カバー部４０の一端側絶縁部４２は、タブ群１５の第１屈曲部１５ａを積層方向の一端側から覆う。このとき、第１取付工程と同様、蓋端子組立体Ｗ２は、蓋１４、導電部材１７、及び電極組立体１２のタブ側端面１２ａそれぞれが水平な姿勢となっているため、第２カバー部４０は、第２蓋側絶縁部４１が水平となる姿勢で取り付けられる。
【００７０】
本収容工程では、絶縁カバー１９が取り付けられた蓋端子組立体Ｗ２をケース本体１３に本収容する。これにより、電極組立体１２全体、タブ群１５、引出端子１６ａの一部、導電部材１７、内側絶縁部材１８ｂ、及び絶縁カバー１９がケース本体１３に収容されるとともに、蓋１４の内面１４ａは、ケース本体１３の長側壁１３ｃ及び短側壁１３ｄの先端面に重ねられる。また、第１カバー部３０の他端側絶縁部３３は、タブ群１５の第２屈曲部１５ｃとケース本体１３の一方の長側壁１３ｃとの間に位置し、第２カバー部４０の一端側絶縁部４２は、タブ群１５の第１屈曲部１５ａとケース本体１３の他方の長側壁１３ｃとの間に位置する。そして、ケース本体１３と蓋１４とを溶接することにより、二次電池１０が完成する。
【００７１】
本実施形態の作用及び効果について説明する。
（１）屈曲工程では、ピン６３により、タブ群１５の余剰部１５ｅを押し上げて撓ませ、押圧部６９により、撓んだ状態の余剰部１５ｅを電極組立体１２に向けて押圧し、余剰部１５ｅを延出部１５ｂに沿う状態に屈曲させる。そして、ピン６３によって余剰部１５ｅを屈曲させたまま、第１及び第２姿勢変更機構７１，７２により、蓋端子組立体Ｗ２の姿勢を変更させる第１及び第２姿勢変更工程を行う。このため、タブ群１５の余剰部１５ｅと電極組立体１２との干渉を抑制できる。また、第１及び第２姿勢変更工程は、絶縁カバー１９の取り付け前に行われるため、姿勢変更による絶縁カバー１９の位置ずれを回避できる。
【００７２】
（２）蓋端子組立体Ｗ２の姿勢を変更する第２姿勢変更工程は、蓋側部材Ｗ１の姿勢を変更する第１姿勢変更工程の後に続けて行われる。このため、第１姿勢変更工程と第２姿勢変更工程との間に他の工程が介在する場合と比較して、二次電池１０の生産性を向上できる。
【００７３】
（３）二次電池の製造装置６０は、第２載置部６２に、蓋１４を保持する蓋保持部６５を備える。このため、ピン６３によって余剰部１５ｅを押し上げた際に、余剰部１５ｅとともに蓋１４及び導電部材１７が第２載置部６２の支持面６２ａから浮き上がることを抑制できる。
【００７４】
（４）蓋端子組立体Ｗ２に絶縁カバー１９を取り付ける取付工程は、第２姿勢変更工程後に行われる。第２姿勢変更工程により、電極組立体１２のタブ側端面１２ａ、蓋１４、及び導電部材１７は水平に配置される。このため、絶縁カバー１９を水平方向に移動させて取り付けでき、重力方向の下側から上側に向けて移動させて取り付ける場合と比較して取り付けやすくなる。また、屈曲工程において、押圧部６９の代わりに絶縁カバー１９によって余剰部１５ｅを押圧して屈曲させる場合、絶縁カバー１９とピン６３とが干渉しないように、絶縁カバー１９の形状を工夫する必要があり、絶縁カバー１９の形状が複雑になっていた。これに対し、押圧部６９によって余剰部１５ｅを押圧する場合、繰り返し使用可能な押圧部６９の形状を工夫すればよく、絶縁カバー１９の形状を変更しなくても済む。よって、絶縁カバー１９の形状の複雑化を抑制できる。
【００７５】
（５）絶縁カバー１９は、第１カバー部３０と第２カバー部４０とを組み付けることで構成されるため、第１カバー部３０が位置ずれすると、第１カバー部３０に第２カバー部４０を組み付けられない虞がある。よって、第２姿勢変形工程後に第１取付工程を行うことで第１カバー部３０の位置ずれを回避するのが効果的である。
【００７６】
本実施形態は、以下のように変更して実施することができる。本実施形態及び変更例は、技術的に矛盾しない範囲で互いに組み合わせて実施することができる。
○  絶縁カバー１９は、第１カバー部３０と第２カバー部４０の２つのカバー部を備える構成でなくてもよい。例えば、絶縁カバー１９は、第１カバー部３０のみを備える構成としてもよい。この場合、例えば、電極組立体１２のタブ側端面１２ａの平面視において、第１屈曲部１５ａがタブ側端面１２ａ内からはみ出さないようにタブ群１５を曲げる。これにより、第１屈曲部１５ａとケース本体１３の長側壁１３ｃとの接触が抑制され、第２カバー部４０が無くとも、第１屈曲部１５ａとケース本体１３との絶縁を確保できる。
【００７７】
○  端子構造１６において、導電部材１７は必須ではない。例えば、端子構造１６は、導電部材１７を備えず、タブ群１５は、引出端子１６ａに直接接合されていてもよい。具体的には、タブ群１５と引出端子１６ａとを上下方向に重ねて配置するとともに、引出端子１６ａの下端部を上端部よりも大径にする。これにより、上記実施形態の導電部材１７を用いる場合と同様に、タブ群１５を引出端子１６ａに接合し、本発明を適用することができる。
【００７８】
○  タブ群１５の先端部が導電部材１７の長縁部１７ａから突出するように導電部材１７上にタブ群１５を配置する際、少なくとも一端側タブ２６ａが導電部材１７の長縁部１７ａから突出すればよく、一端側タブ２６ａのみ、又は全てのタブ２６のうち、一端側タブ２６ａを含む数枚だけが導電部材１７の長縁部１７ａから突出していてもよい。
【００７９】
○  余剰部１５ｅを撓ませる方法は、ピン６３で押し上げて撓ませる方法以外でもよい。例えば、一端側タブ２６ａの下方からエア等を余剰部１５ｅに向けて噴射することで、余剰部１５ｅを押し上げて撓ませてもよい。この場合の押上部は、エアを噴射する噴射装置である。
【００８０】
○  上記実施形態では、係止凹部３４ａは、リブ３４に形成されているが、例えば、第１蓋側絶縁部３１に直接形成されていてもよい。また、第１カバー部３０と第２カバー部４０とを一体化できれば、一体化する方法は、係止凹部３４ａと係止爪４３ａとの係止以外の方法でもよい。
【００８１】
○  第１姿勢変更機構７１の構成は、導電部材１７と押圧部６９との間にタブ群１５が位置する状態を維持しつつ、積層方向の一端側においてタブ群１５を曲げ、蓋１４の内面１４ａと電極組立体１２のタブ側端面１２ａとが対向するように蓋側部材Ｗ１の姿勢を変更させることができるのであれば、適宜変更してよい。
【００８２】
○  第２姿勢変更機構７２の構成は、導電部材１７と押圧部６９との間にタブ群１５が位置し、かつ蓋１４の内面１４ａとタブ側端面１２ａとが対向する状態を維持しつつ、蓋１４が重力方向の上側に位置し、電極組立体１２を重力方向の下側に位置するように蓋端子組立体Ｗ２の姿勢を変更させることができるのであれば、適宜変更してよい。
【００８３】
○  上記実施形態では、導電部材１７と引出端子１６ａとを接合した後、引出端子１６ａをかしめ、その後、導電部材１７とタブ群１５とを接合しているが、この順序は適宜変更してよい。例えば、導電部材１７と引出端子１６ａとを接合した後、タブ群１５と導電部材１７とをスポット溶接し、その後、引出端子１６ａを蓋１４に配置してかしめてもよい。
【００８４】
○  導電部材１７とタブ群１５とを接合する方法は、レーザ溶接に限定されず、例えば、スポット溶接などの他の接合方法でもよい。
○  正極電極２１は、正極集電体２４の片面に正極活物質層２５が存在する構造でもよい。同様に、負極電極２２は、負極集電体２７の片面に負極活物質層２８が存在する構造でもよい。
【００８５】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００８６】
○  蓄電装置は、例えばキャパシタなど、二次電池以外の蓄電装置にも適用可能である。
【符号の説明】
【００８７】
１０…蓄電装置としての二次電池、１１…ケース、１２…電極組立体、１２ａ…タブ側端面、１３…ケース本体、１３ａ…開口部、１４…蓋、１４ａ…内面、１５…タブ群、１５ａ…第１屈曲部、１５ｂ…延出部、１５ｃ…第２屈曲部、１５ｄ…折り返し部、１５ｅ…余剰部、１６…端子構造、１６ａ…引出端子、１７…導電部材、１９…絶縁カバー、２１…電極としての正極電極、２１ａ…一辺、２２…電極としての負極電極、２２ａ…一辺、２６…タブ、３０…第１カバー部、４０…第２カバー部、６０…蓄電装置の製造装置としての二次電池の製造装置、６２…載置部としての第２載置部、６３…押上部としてのピン、６４…保持構造、６５…蓋保持部、６９…押圧部、７１…第１姿勢変更機構、７２…第２姿勢変更機構。
【図１】
2020042909.tif 000003
【図２】
2020042909.tif 000004
【図３】
2020042909.tif 000005
【図４】
2020042909.tif 000006
【図５】
2020042909.tif 000007
【図６】
2020042909.tif 000008
【図７】
2020042909.tif 000009
【図８】
2020042909.tif 000010
【図９】
2020042909.tif 000011
【図１０】
2020042909.tif 000012
【図１１】
2020042909.tif 000013
【図１２】
2020042909.tif 000014